【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
第１導電路に印加された入力電圧を降圧して第２導電路に出力する電圧変換部と、
前記電圧変換部によって前記第２導電路に出力される出力電圧値又は出力電流値の少なくとも一方を検出する検出部と、
前記電圧変換部に与える信号を発生させる信号発生回路と、
を備え、
前記電圧変換部は、
前記第１導電路と前記第１導電路の電位よりも低い所定の基準電位に保たれる基準導電路との間に直列に接続された第１スイッチ部及び第２スイッチ部と、
前記第１スイッチ部及び前記第２スイッチ部の接続部と前記第２導電路との間に設けられたインダクタと、前記第２スイッチ部と並列に接続されるとともにカソードが前記接続部側に接続されアノードが前記基準導電路側に接続されたダイオード部と、
を有し、
前記信号発生回路は、
前記電圧変換部の出力電圧目標値と前記検出部の検出結果とに基づいて前記第１スイッチ部に与えるＰＷＭ信号のデューティを算出するフィードバック演算を行うフィードバック演算部と、
前記フィードバック演算部で算出されたデューティのＰＷＭ信号を前記第１スイッチ部に与える構成をなし、前記第１スイッチ部のオン動作及びオフ動作に対応させて前記第２スイッチ部をオフ動作及びオン動作させる同期整流制御と、前記第２スイッチ部をオフ動作させたまま前記第１スイッチ部をオンオフ動作させる非同期整流制御と、を切り替えて実行する駆動部と、
前記第２導電路が所定の電流増大状態又は所定の電圧減少状態であるか否かを判定する判定部と、
を有し、
前記駆動部は、前記非同期整流制御の実行中に前記判定部が前記所定の電流増大状態又は前記所定の電圧減少状態であると判定した場合、所定の設定値のデューティを有するＰＷＭ信号を前記第１スイッチ部に与える前記同期整流制御に切り替えた後、前記出力電圧目標値と前記検出部の検出結果とに基づき前記フィードバック演算部によって算出されるデューティのＰＷＭ信号を前記第１スイッチ部に与える前記同期整流制御を行う車両用電源装置。
【請求項２】
前記設定値は、前記出力電圧目標値と前記入力電圧の電圧値とに基づく値である請求項１に記載の車両用電源装置。
【請求項３】
前記設定値は、前記出力電圧目標値を前記入力電圧の電圧値で除した値である請求項２に記載の車両用電源装置。
【請求項４】
第１導電路に印加された入力電圧を昇圧して第２導電路に出力する電圧変換部と、
前記電圧変換部によって前記第２導電路に出力される出力電圧値又は出力電流値の少なくとも一方を検出する検出部と、
前記電圧変換部に与える信号を発生させる信号発生回路と、
を備え、
前記電圧変換部は、
前記第１導電路と前記第１導電路の電位よりも低い所定の基準電位に保たれる基準導電路との間に直列に接続されたインダクタ及び第１スイッチ部と、インダクタ及び前記第１スイッチ部の接続部と前記第２導電路との間に設けられた第２スイッチ部と、前記第２スイッチ部と並列に接続されるとともにアノードが前記接続部側に接続されカソードが前記第２導電路側に接続されたダイオード部と、を有し、
前記信号発生回路は、
前記電圧変換部の出力電圧目標値と前記検出部の検出結果とに基づいて前記第１スイッチ部に与えるＰＷＭ信号のデューティを算出するフィードバック演算を繰りフィードバック演算部と、
前記フィードバック演算部で算出されたデューティのＰＷＭ信号を前記第１スイッチ部に与える構成をなし、前記第１スイッチ部のオン動作及びオフ動作に対応させて前記第２スイッチ部をオフ動作及びオン動作させる同期整流制御と、前記第２スイッチ部をオフ動作させたまま前記第１スイッチ部をオンオフ動作させる非同期整流制御と、を切り替えて実行する駆動部と、
前記第２導電路が所定の電流増大状態又は所定の電圧減少状態であるか否かを判定する判定部と、
を有し、
前記駆動部は、前記非同期整流制御の実行中に前記判定部が前記所定の電流増大状態又は前記所定の電圧減少状態であると判定した場合、所定の設定値のデューティを有するＰＷＭ信号を前記第１スイッチ部に与える前記同期整流制御に切り替えた後、前記出力電圧目標値と前記検出部の検出結果とに基づき前記フィードバック演算部によって算出されるデューティのＰＷＭ信号を前記第１スイッチ部に与える前記同期整流制御を行う車両用電源装置。
【請求項５】
前記設定値は、前記出力電圧目標値と前記入力電圧の電圧値とに基づく値である請求項４に記載の車両用電源装置。
【請求項６】
前記設定値は、前記出力電圧目標値と前記入力電圧の電圧値との差を前記出力電圧目標値で除した値である請求項５に記載の車両用電源装置。
【請求項７】
前記検出部は、前記出力電流値を検出し、
前記判定部は、前記検出部によって検出された前記出力電流値が所定の閾値以上であるか否かを判定し、
前記駆動部は、前記非同期整流制御の実行中において前記出力電流値が前記所定の閾値以上であると前記判定部が判定した場合、前記設定値のデューティを有するＰＷＭ信号を前記第１スイッチ部に与える前記同期整流制御に切り替えた後、前記出力電圧目標値と前記検出部の検出結果とに基づき前記フィードバック演算部によって算出されるデューティを有するＰＷＭ信号を前記第１スイッチ部に与える前記同期整流制御を実行する請求項１から請求項６のいずれか一項に記載の車両用電源装置。
【手続補正２】
【補正対象書類名】明細書
【補正対象項目名】０００８
【補正方法】変更
【補正の内容】
【０００８】
本発明の第２態様の車両用電源装置は、
第１導電路に印加された入力電圧を昇圧して第２導電路に出力する電圧変換部と、
前記電圧変換部によって前記第２導電路に出力される出力電圧値又は出力電流値の少なくとも一方を検出する検出部と、
前記電圧変換部に与える信号を発生させる信号発生回路と、
を備え、
前記電圧変換部は、
前記第１導電路と前記第１導電路の電位よりも低い所定の基準電位に保たれる基準導電路との間に直列に接続されたインダクタ及び第１スイッチ部と、インダクタ及び前記第１スイッチ部の接続部と前記第２導電路との間に設けられた第２スイッチ部と、前記第２スイッチ部と並列に接続されるとともにアノードが前記接続部側に接続されカソードが前記第２導電路側に接続されたダイオード部と、を有し、
前記信号発生回路は、
前記電圧変換部の出力電圧目標値と前記検出部の検出結果とに基づいて前記第１スイッチ部に与えるＰＷＭ信号のデューティを算出するフィードバック演算を繰りフィードバック演算部と、
前記フィードバック演算部で算出されたデューティのＰＷＭ信号を前記第１スイッチ部に与える構成をなし、前記第１スイッチ部のオン動作及びオフ動作に対応させて前記第２スイッチ部をオフ動作及びオン動作させる同期整流制御と、前記第２スイッチ部をオフ動作させたまま前記第１スイッチ部をオンオフ動作させる非同期整流制御と、を切り替えて実行する駆動部と、
前記第２導電路が所定の電流増大状態又は所定の電圧減少状態であるか否かを判定する判定部と、
を有し、
前記駆動部は、前記非同期整流制御の実行中に前記判定部が前記所定の電流増大状態又は前記所定の電圧減少状態であると判定した場合、所定の設定値のデューティを有するＰＷＭ信号を前記第１スイッチ部に与える前記同期整流制御に切り替えた後、前記出力電圧目標値と前記検出部の検出結果とに基づき前記フィードバック演算部によって算出されるデューティのＰＷＭ信号を前記第１スイッチ部に与える前記同期整流制御を行う。
【手続補正３】
【補正対象書類名】明細書
【補正対象項目名】００１８
【補正方法】変更
【補正の内容】
【００１８】
バッテリ３は、例えば、鉛蓄電池等の公知の蓄電手段によって構成され、所定電圧を発生させる。バッテリ３の高電位側の端子は、第１導電路３１に電気的に接続され、バッテリ３の低電位側の端子は、第１導電路３１の電位よりも低い所定の基準電位（具体的には０Ｖのグランド電位）に保たれる基準導電路３３に電気的に接続される。
【手続補正４】
【補正対象書類名】明細書
【補正対象項目名】００３６
【補正方法】変更
【補正の内容】
【００３６】
駆動部２７は、発生部１６から与えられたＰＷＭ信号（後述するフィードバック演算部４２で算出されたデューティのＰＷＭ信号）を第１スイッチ部２１Ａに出力する構成をなし、更に、同期整流制御（第１スイッチ部２１Ａのオン動作及びオフ動作に対応させて第２スイッチ部２２Ａをオフ動作及びオン動作させる制御）と、非同期整流制御（第２スイッチ部２２Ａをオフ動作させたまま第１スイッチ部２１Ａをオンオフ動作させる制御）とを切り替えて行うように機能する。この駆動部２７は、電圧変換部ＣＶの同期整流制御と非同期整流制御とを切り替えるための切替信号を制御回路１０から与えられ、この切替信号に基づいて、第１スイッチ部２１Ａ及び第２スイッチ部２２Ａにオン信号を印加する。具体的には、駆動部２７は、制御回路１０から同期整流制御が指示されているときに発生部１６から与えられたＰＷＭ信号に基づいて、第１スイッチ部２１Ａ及び第２スイッチ部２２Ａ夫々を各制御周期で交互にオンするためのオン信号を、第１スイッチ部２１Ａ及び第２スイッチ部２２Ａのゲートに印加する。一方、駆動部２７は、制御回路１０から非同期整流制御が指示されているときには、第２スイッチ部２２Ａにはオン信号を印加せず、第２スイッチ部２２Ａをオフ状態で維持したまま、第１スイッチ部２１Ａを各制御周期でオンするためのオン信号を第１スイッチ部２１Ａのゲートに印加する。
【手続補正５】
【補正対象書類名】明細書
【補正対象項目名】００６４
【補正方法】変更
【補正の内容】
【００６４】
そして、信号発生回路１は、ステップＳ２４で非同期整流制御から同期整流制御に切り替える場合、所定の設定値のデューティのＰＷＭ信号を第１スイッチ部１２１Ａに与える同期整流制御を実行する。具体的には、判定部４１がステップＳ２３において電流検出回路２９から入力される電圧値が所定の電圧閾値以上であると判定した直後に、フィードバック演算部４２はデューティを所定の設定値に切り替える。そして、発生部１６は、その設定値のデューティでＰＷＭ信号を発生させ、駆動部２７は、その設定値のデューティで同期整流制御を実行する。設定値は、例えば、出力電圧目標値Ｖｔと入力電圧の電圧値Ｖｉｎとの差を出力電圧目標値Ｖｔで除した値（（Ｖｔ−Ｖｉｎ）／Ｖｔ）を用いることができる。フィードバック演算部４２は、判定部４１がステップＳ２３において電流検出回路２９から入力される電圧値が所定の電圧閾値以上であると判定した直後に、１回のフィードバック演算分、又は所定の複数回のフィードバック演算分だけ、デューティとして設定値（（Ｖｔ−Ｖｉｎ）／Ｖｔ）を用いる。従って、判定部４１がステップＳ２３において電流検出回路２９から入力される電圧値が所定の電圧閾値以上であると判定した直後に１回のフィードバック演算分、又は所定の複数回のフィードバック演算分だけ、発生部１６から設定値（（Ｖｔ−Ｖｉｎ）／Ｖｔ）のデューティでＰＷＭ信号が出力される。一方、駆動部２７は、判定部４１がステップＳ２３において電流検出回路２９から入力される電圧値が所定の電圧閾値以上であると判定した直後に非同期整流制御から同期整流制御に切り替えるため、駆動部２７が同期整流制御を開始した時点から１回のフィードバック演算分、又は所定の複数回のフィードバック演算分だけ、設定値（（Ｖｔ−Ｖｉｎ）／Ｖｔ）のデューティでＰＷＭ信号が出力されるような同期整流制御が実行される。